【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
セットトップボックスまたはケーブル接続に接続されたテレビジョン上で再生しているビデオとの視聴者エンゲージメントを定量化するためのシステムであって、
前記ディスプレイの前の視聴エリアを撮像するように配設された、前記視聴エリアの画像データを取得するための少なくとも１つのカメラと、
前記ディスプレイに近接して配設された、前記ディスプレイに結合されたスピーカによって発せられたオーディオデータを取得するためのマイクロフォンと、
前記少なくとも１つのカメラおよび前記マイクロフォンに動作可能に結合された、プロセッサ実行可能命令を記憶し、前記画像データをサードパーティに送信する可能性をなくすために、前記画像データおよび前記オーディオデータが前記少なくとも１つのカメラからの後続の画像データおよび前記マイクロフォンからの後続のオーディオデータで上書きされる前に１００ミリ秒以下の間、前記画像データおよび前記オーディオデータを記憶するためのメモリと、
前記少なくとも１つのカメラ、前記マイクロフォン、および前記メモリに動作可能に結合され、前記テレビジョン、前記セットトップボックス、またはケーブル接続への接続を有さないプロセッサと、ここにおいて、前記プロセッサ実行可能命令の実行時に、前記プロセッサは、
前記少なくとも１つのカメラからの前記画像データ、および前記マイクロフォンからの前記オーディオデータを受信することと、
前記オーディオデータに少なくとも一部基づいて、前記ディスプレイ上に表示された前記ビデオの識別情報を決定することと、
前記画像データおよび前記画像データに現れる顔の識別情報に少なくとも一部基づいて、前記視聴エリア中に存在する人々を識別するためのコンピュータビジョンモデルをトレーニングすることと、
前記コンピュータビジョンモデルを使用して、前記後続の画像データに基づいて前記視聴エリアにいる各人物についての識別子を決定することと、
前記後続の画像データに少なくとも一部基づいて、前記視聴エリア中に存在する人々の第１の数、および前記視聴エリア中の前記ビデオにエンゲージしている人々の第２の数を推定することと、
人々の前記第１の数および人々の前記第２の数に少なくとも一部基づいて、前記ビデオの前記視聴者エンゲージメントを定量化することと
を行い、
前記プロセッサに動作可能に結合された、利用可能なアップストリーム帯域幅または送信されるデータの量のうちの少なくとも１つに基づいて選択された送信ウィンドウ中にバースト送信で、人々の前記第１の数、人々の前記第２の数、および前記視聴エリア中の前記人々のための前記識別子をリモートサーバに送信するためのネットワークインターフェースと、
を備える、システム。
【請求項２】
前記少なくとも１つのカメラは、実質的に毎秒１フレーム以上のフレームレートで前記画像データを取得する、請求項１に記載のシステム。
【請求項３】
前記プロセッサは、身体骨格検出に基づいて、前記視聴エリア中に存在する人々の前記第１の数を推定する、請求項１に記載のシステム。
【請求項４】
前記プロセッサは、視線追跡に基づいて、前記ビデオにエンゲージしている人々の前記第２の数を推定する、請求項１に記載のシステム。
【請求項５】
前記マイクロフォンは、約０．１Ｈｚの取得レートで前記オーディオデータを取得する、請求項１に記載のシステム。
【請求項６】
前記プロセッサは、オーディオ信号フィンガープリンティングを使用して、前記ビデオの前記識別情報を決定する、請求項１に記載のシステム。
【請求項７】
前記プロセッサは、
前記ビデオについての注意レートを推定することによって前記視聴者エンゲージメントを定量化し、前記注意レートは、所与の時間期間にわたる、前記視聴エリア中の人々の前記第１の数に対する、前記ビデオにエンゲージしている人々の前記第２の数の比を表す、請求項１に記載のシステム。
【請求項８】
前記ビデオは、複数のビデオ中の一意のビデオであり、前記プロセッサ実行可能命令の実行時に、前記プロセッサは、
前記画像データと前記視聴エリア中に潜在的に存在する人々に関する人口統計学的情報とに基づいて、視聴者カウントとポジティブ持続時間比とを推定し、前記視聴者カウントは、各一意のビデオにエンゲージしている人々の前記第２の数を表し、前記ポジティブ持続時間比は、前記一意のビデオの持続時間に対する、前記視聴エリア中の人々が前記一意のビデオを見ることによって費やされた合計時間の比を表す、
請求項７に記載のシステム。
【請求項９】
前記プロセッサ実行可能命令の実行時に、前記プロセッサは、
前記リモートサーバへの送信のために、人々の前記第１の数および人々の前記第２の数を前記メモリに記憶する、
請求項１に記載のシステム。
【請求項１０】
前記プロセッサ実行可能命令の実行時に、前記プロセッサは、
前記視聴エリア中に存在する各人物の感情を推定する
請求項１に記載のシステム。
【請求項１１】
前記プロセッサ実行可能命令の実行時に、前記プロセッサは、
前記オーディオデータに少なくとも一部基づいて、前記複数のビデオ中のあらかじめ決定されたビデオが前記ディスプレイ上に表示されているかどうかを決定し、ここにおいて、前記視聴者エンゲージメントを定量化することは、前記あらかじめ決定されたビデオが表示されているかどうかに少なくとも一部基づく、
請求項１に記載のシステム。
【請求項１２】
前記プロセッサ実行可能命令の実行時に、前記プロセッサは、
前記画像データから前記視聴エリア中の各人物についての人口統計学的情報を推定する、
請求項１に記載のシステム。
【請求項１３】
前記人口統計学的情報は、年齢、性別、民族グループ、および顔の表情を含む、請求項１２に記載のシステム。
【請求項１４】
前記ビデオはストリーミングコンテンツを含む、請求項１に記載のシステム。
【請求項１５】
セットトップボックスを介してテレビジョン上で再生しているテレビ番組との視聴者エンゲージメントを定量化するためのシステムであって、
前記ディスプレイの前の視聴エリアを撮像するように配設された、実質的に毎秒１フレーム以上のフレームレートで前記視聴エリアの画像データを取得するための少なくとも１つのカメラと、
前記ディスプレイに近接して配設された、約０．１Ｈｚの取得レートで前記テレビジョンによって発せられたオーディオデータを取得するためのマイクロフォンと、
前記少なくとも１つのカメラおよび前記マイクロフォンに動作可能に結合された、プロセッサ実行可能命令を記憶するためのメモリと、
前記少なくとも１つのカメラ、前記マイクロフォン、および前記メモリに動作可能に結合され、前記テレビジョンにも前記セットトップボックスにも接続されないプロセッサと、ここにおいて、前記プロセッサ実行可能命令の実行時に、前記プロセッサは、
前記少なくとも１つのカメラからの前記画像データ、および前記マイクロフォンからの前記オーディオデータを受信することと、
オーディオ信号フィンガープリンティングを使用して前記オーディオデータに少なくとも一部基づいて、前記テレビジョン上に表示された前記テレビ番組の識別情報を決定することと、
前記画像データに少なくとも一部基づいて、前記視聴エリア中に存在する人々の第１の数を推定することと、
前記視聴エリア中の前記テレビ番組にエンゲージしている人々の第２の数を推定することと、
人々の前記第１の数および人々の前記第２の数に少なくとも一部基づいて、前記テレビ番組の前記視聴者エンゲージメントを定量化することと
を行い、
前記プロセッサに動作可能に結合された、人々の前記第１の数および人々の前記第２の数をリモートサーバに送信するためのネットワークインターフェースと、
を備える、システム。
【請求項１６】
前記プロセッサは、
前記テレビ番組についての注意レートを推定することによって前記視聴者エンゲージメントを定量化し、前記注意レートは、所与の時間期間にわたる、前記視聴エリア中の人々の前記第１の数に対する、前記テレビ番組にエンゲージしている人々の前記第２の数の比を表す、請求項１５に記載のシステム。
【請求項１７】
前記テレビ番組は、複数のテレビ番組中の一意のテレビ番組であり、前記プロセッサ実行可能命令の実行時に、前記プロセッサは、
前記画像データと前記視聴エリア中に潜在的に存在する人々に関する人口統計学的情報とに基づいて、視聴者カウントとポジティブ持続時間比とを推定し、前記視聴者カウントは、各一意のテレビ番組にエンゲージしている人々の前記第２の数を表し、前記ポジティブ持続時間比は、前記一意のテレビ番組の持続時間に対する、前記視聴エリア中の人々が前記一意のテレビ番組を見ることによって費やされた合計時間の比を表す、
請求項１６に記載のシステム。
【請求項１８】
前記プロセッサ実行可能命令の実行時に、前記プロセッサは、
前記画像データに少なくとも一部基づいて、前記視聴エリア中に存在する各人物の識別情報を決定することと、
識別された各人物についての前記視聴者エンゲージメントを定量化することと
を行う、請求項１５に記載のシステム。
【請求項１９】
前記プロセッサ実行可能命令の実行時に、前記プロセッサは、
前記オーディオデータに少なくとも一部基づいて、前記複数のテレビ番組中のあらかじめ決定されたテレビ番組が前記ディスプレイ上に表示されているかどうかを決定し、ここにおいて、前記視聴者エンゲージメントを定量化することは、前記あらかじめ決定されたテレビ番組が表示されているかどうかに少なくとも一部基づく、
請求項１５に記載のシステム。
【請求項２０】
前記プロセッサに動作可能に結合された、人物によって装着されたワイヤレス信号送信機からのワイヤレス信号を検出するための少なくとも１つのワイヤレス信号受信機をさらに備え、
前記プロセッサは、前記ワイヤレス信号に基づいて、前記人物と前記テレビジョンとの間の距離および前記テレビジョンに対する前記人物のロケーションを測定するように構成される、
請求項１５に記載のシステム。